(57)【特許請求の範囲】
【請求項１】
複数の端末と通信する通信手段と、
前記通信手段を介して、前記複数の端末に保存されている画像を取得する取得手段と、
前記通信手段の通信時における受信感度を前記複数の端末毎に検出する受信感度検出手段と、
前記受信感度検出手段により検出された端末毎の受信感度に基づき、各端末に保存されている画像のスライドショー表示における優先度を決定する優先度決定手段と、
前記優先度決定手段により決定された優先度に従って、前記取得手段により各端末から取得した画像をスライドショー表示する表示制御手段と
を備えることを特徴とする画像表示装置。
【請求項２】
前記通信手段により、異なる複数の端末と無線接続されることを特徴とする請求項１記載の画像表示装置。
【請求項３】
前記取得手段は、各端末に保存されている複数の画像を予め取得し、
この取得手段により取得された複数の画像を端末毎に記憶する記憶手段を備え、
前記表示制御手段は、前記記憶手段から画像を読み出してスライドショー表示することを特徴とする請求項１記載の画像表示装置。
【請求項４】
前記取得手段は、前記表示制御手段がスライドショー表示する画像をその都度対応する端末から取得し、
前記表示制御手段は、前記取得手段がその都度対応する端末から取得した画像をスライドショー表示することを特徴とする請求項１記載の画像表示装置。
【請求項５】
前記優先度決定手段は、スライドショー表示における画像の表示頻度を優先度として決定することを特徴とする請求項１記載の画像表示装置。
【請求項６】
前記優先度決定手段は、スライドショー表示における当該画像の表示時間を優先度として決定することを特徴とする請求項１記載の画像表示装置。
【請求項７】
前記複数の端末は、前記画像の撮影機能を有するものであることを特徴とする請求項１から６にいずれか記載の画像表示装置。
【請求項８】
複数の端末と通信する通信手段を備える画像表示装置が有するコンピュータを、
前記通信手段を介して、前記複数の端末に保存されている画像を取得する取得手段と、
前記通信手段の通信時における受信感度を前記複数の端末毎に検出する受信感度検出手段と、
前記受信感度検出手段により検出された端末毎の受信感度に基づき、各端末に保存されている画像のスライドショー表示における優先度を決定する優先度決定手段と、
前記優先度決定手段により決定された優先度に従って、前記取得手段により各端末から取得した画像をスライドショー表示する表示制御手段と
して機能させることを特徴とする画像表示プログラム。
【請求項９】
複数の端末と、通信手段を介して前記複数の端末と接続される画像表示装置とで構成される画像表示システムであって、
前記複数の端末は、各々画像を保存する保存手段を備え、
前記画像表示装置は、
前記通信手段を介して、前記複数の端末に保存されている画像を取得する取得手段と、
前記通信手段の通信時における受信感度を前記複数の端末毎に検出する受信感度検出手段と、
前記受信感度検出手段により検出された端末毎の受信感度に基づき、各端末に保存されている画像のスライドショー表示における優先度を決定する優先度決定手段と、
前記優先度決定手段により決定された優先度に従って、前記取得手段により各端末から取得した画像をスライドショー表示する表示制御手段と
を備えることを特徴とする画像表示システム。
【発明の詳細な説明】
【技術分野】
【０００１】
本発明は、画像表示装置、画像表示プログラム及び画像表示システムに関する。
【背景技術】
【０００２】
近年、デジタルカメラの普及により、写真は、デジタル画像データとして保存することが一般的となっている。従来のフィルムカメラによる撮影の場合、プリントを伴うことが多かったが、画像データの場合、撮影したデジタルカメラで閲覧したり、画像データを取り込んだパーソナルコンピュータなどで閲覧したりすることができるため、写真の楽しみ方にも変化が生じている。
【０００３】
このような状況において、画像データでも従来のプリント写真と同様の楽しみ方がきでるようにするため、いわゆるデジタルフォトフレームが実現され普及している。デジタルフォトフレームでは、撮影した写真を再生して好きなときに鑑賞したり、スライドショー表示したり、画像データを保存するアルバム端末として使用することができる。
【０００４】
また、複数のデジタルカメラにより撮影された画像を、サーバにリアルタイムで集約して、端末装置に送信する。そして、端末装置でこれを受信してスライドショーの実行を行うスライドショー自動作成システムも提案されるに至っている（例えば、特許文献１）。したがって、このスライドショー自動作成システムにおける端末装置として、デジタルフォトフレームを用いることにより、デジタルフォトフレームにてのスライドショー観賞が可能となる。
【先行技術文献】
【特許文献】
【０００５】
【特許文献１】特開２００９−３０３００１号公報
【発明の概要】
【発明が解決しようとする課題】
【０００６】
しかしながら、前記スライドショー自動作成システムにおいては、複数のデジタルカメラにより撮影された画像を、サーバにリアルタイムで集約して、端末装置に送信する。端末装置（デジタルフォトフレーム）は、これら集約された複数の画像を単にスライドショー表示することから、順次スライドショー表示される複数の画像に優劣はない。よって、自己が撮影した画像のスライド表示に強い興味を持っているユーザの画像、自己が撮影した画像のスライド表示に興味を持っていないユーザの画像、現在遠方におり当該端末装置で画像を観賞することさえも不可能なユーザの画像のいずれであっても、優劣なく順次スライドショー表示する。
【０００７】
したがって、画像の撮影者であり鑑賞者でもあり得る各カメラのユーザの興味や意図を反映させた画像のスライドショー表示を行うことができない、という課題があった。
【０００８】
本発明は、かかる従来の課題に鑑みてなされたものであり、画像の撮影者であり鑑賞者でもあり得る各カメラのユーザの興味や意図を反映させたスライドショー表示を行うことのできる画像表示装置、画像表示プログラム及び画像表示システムを提供することを目的とする。
【課題を解決するための手段】
【０００９】
前記課題を解決するため、本発明に係る画像表示装置は、複数の端末と通信する通信手段と、前記通信手段を介して、前記複数の端末に保存されている画像を取得する取得手段と、前記通信手段の通信時における受信感度を前記複数の端末毎に検出する受信感度検出手段と、前記受信感度検出手段により検出された端末毎の受信感度に基づき、各端末に保存されている画像のスライドショー表示における優先度を決定する優先度決定手段と、前記優先度決定手段により決定された優先度に従って、前記取得手段により各端末から取得した画像をスライドショー表示する表示制御手段とを備えることを特徴とする。
【００１０】
また、本発明に係る画像表示プログラムは、複数の端末と通信する通信手段を備える画像表示装置が有するコンピュータを、前記各手段として機能させることを特徴とする。
【００１１】
また、本発明に係る画像表示システムは、複数の端末と、通信手段を介して前記複数の端末と接続される画像表示装置とで構成される画像表示システムであって、前記複数の端末は、各々画像を保存する保存手段を備え、前記画像表示装置は、前記通信手段を介して、前記複数の端末に保存されている画像を取得する取得手段と、前記通信手段の通信時における受信感度を前記複数の端末毎に検出する受信感度検出手段と、前記受信感度検出手段により検出された端末毎の受信感度に基づき、各端末に保存されている画像のスライドショー表示における優先度を決定する優先度決定手段と、前記優先度決定手段により決定された優先度に従って、前記取得手段により各端末から取得した画像をスライドショー表示する表示制御手段とを備えることを特徴とする。
【発明の効果】
【００１２】
本発明によれば、受信感度を有効に利用して、画像の撮影者であり鑑賞者でもあり得る各カメラのユーザの興味や意図を反映させた表示を行うことができる。これにより、ユーザが画像観賞を早期に飽きてしまうことを防止して、画像観賞の興趣性を向上させることができる。
【図面の簡単な説明】
【００１３】
【図１】本発明の一実施形態に係る画像表示システムのシステム構成図である。
【図２】本発明の一実施形態に係る画像表示装置の回路構成を示すブロック図である。
【図３】本発明の一実施形態におけるデジタルスチルカメラの回路構成を示すブロック図である。
【図４】（Ａ）は画像表示装置の処理手順を示すフローチャート、（Ｂ）はデジタルスチルカメラの処理手順を示すフローチャートである。
【発明を実施するための形態】
【００１４】
以下、本発明の実施形態について説明する。図１は、本発明の一実施の形態に係る画像表示システムを示すシステム構成図である。この画像表示システムは、画像表示装置１と複数の端末としてのデジタルスチルカメラ１０（１０Ａ、１０Ｂ、１０Ｃ）とで構成されている。これら画像表示装置１とデジタルスチルカメラ１０Ａ、１０Ｂ、１０Ｃとは相互に無線接続され、アドホックネットワークを構成している。
【００１５】
図２は、本実施の形態に係る画像表示装置１の電気的構成を示したブロック図である。画像表示装置１は、ＣＰＵ（Ｃｅｎｔｒａｌ  Ｐｒｏｃｅｓｓｉｎｇ  Ｕｎｉｔ）１１と、ＣＰＵ１１に接続されたＲＯＭ（Ｒｅａｄ  Ｏｎｌｙ  Ｍｅｍｏｒｙ）１２、ＲＡＭ（Ｒａｎｄｏｍ  Ａｃｃｅｓｓ  ｍｅｍｏｒｙ）１３、内部メモリ１４を備え、ＲＯＭ１２には、ＣＰＵ１１に後述するフローチャートに示す動作を行わせるためのプログラム等が記憶されている。
【００１６】
内部メモリ１４は、ハードディスク又はフラッシュメモリによる大容量不揮発性メモリであり、後述する処理によりフォルダ１４Ａ、１４Ｂ、１４Ｃ等・・・が確保されて、フォルダ１４Ａ、１４Ｂ、１４Ｃ等・・・毎に画像が保存可能となる。表示制御部１６は、ＣＰＵ１１から供給される表示用の画像データに基づいて液晶表示パネル３を駆動することにより、画像や各種メニューを液晶表示パネル３に表示させる。
【００１７】
キー入力制御部１７はＣＰＵ１１の制御に基づいてタッチパネル５の操作信号と、キー入力部２１の操作信号を入力するものである。本実施の形態において、キー入力部２１には、電源ＳＷ（スイッチ）、スライドショーＳＷ、及びその他のスイッチが設けられている。
【００１８】
メモリカードインターフェース１８は、メモリカードスロットに着脱自在に装着された各種のメモリカード６０と、ＣＰＵ１１との間におけるデータの入出力を制御する入出力インターフェースである。無線通信部３０はアンテナ３１を有し、ＣＰＵ１１により制御されて各デジタルスチルカメラ１０と無線通信を行う。また、電源制御部８０は、電源プラグ８１を介してＡＣ電源を取り入れ、直流に変換して各部に電力を供給する。
【００１９】
図３は、デジタルスチルカメラ１０の回路構成を示す図である。このデジタルスチルカメラ１０は、基本モードである撮影モードにおいて、ズームレンズ１１２−１を移動させて光学ズーム動作を行わせるズーム駆動部１１１−１、フォーカスレンズ１１２−２を移動させて合焦動作を行わせるＡＦ駆動部１１１−２、ズームレンズ１１２−１及びフォーカスレンズ１１２−２を含む撮像レンズを構成するレンズ光学系１１２を備えている。
【００２０】
また、デジタルスチルカメラ１０は、このレンズ光学系１１２の光軸上に配置された絞り１３２、この絞り１３２を駆動する絞り駆動部１３３、撮像素子であるＣＣＤ１１３、タイミング発生器（ＴＧ）１１４、垂直ドライバ１１５、サンプルホールド回路（Ｓ／Ｈ）１１６、Ａ／Ｄ変換器１１７、カラープロセス回路１１８、ＤＭＡ（Direct Memory Access）コントローラ１１９、ＤＲＡＭインターフェイス（Ｉ／Ｆ）１２０、ＤＲＡＭ１２１を備えていている。
【００２１】
さらにデジタルスチルカメラ１０は、制御部１２２、ＶＲＡＭコントローラ１２３、ＶＲＡＭ１２４、デジタルビデオエンコーダ１２５、表示部１２６、ＪＰＥＧ（Joint Photograph cording Experts Group）回路１２７、保存メモリ１２８を備えているとともに、キー入力部１３０、及び無線通信部１３４を備えている。
【００２２】
撮影モードでのモニタリング状態においては、ズーム駆動部１１１−１は、光学ズーム指示があると制御部１２２からの制御信号に基づいて、図示しないズームレンズ駆動モータを駆動してズームレンズ１１２−１を光軸に沿って前後に移動させることによりＣＣＤ１１３に結像させる画像の倍率そのものを変化させる。また、ＡＦ駆動部１１１−２は図示しないフォーカスレンズ駆動モータを駆動してフォーカスレンズ１１２−２を移動させる。そして、撮像レンズを構成するレンズ光学系１１２の撮影光軸後方に配置された撮像素子であるＣＣＤ１１３が、タイミング発生器（ＴＧ）１１４、垂直ドライバ１１５によって走査駆動され、一定周期毎に結像した光像に対応する光電変換出力を１フレーム分出力する。
【００２３】
ＣＣＤ１１３は被写体の二次元画像を撮像する固体撮像デバイスであり、典型的には毎秒数十フレームの画像を撮像する。なお、撮像素子はＣＣＤに限定されずＣＭＯＳ（Complementary Metal Oxide Semiconductor）などの固体撮像デバイスでもよい。
【００２４】
この光電変換出力は、アナログ値の信号の状態でＲＧＢの原色成分毎に適宜ゲイン調整された後に、サンプルホールド回路（Ｓ／Ｈ）１１６でサンプルホールドされ、Ａ／Ｄ変換器１１７でデジタルデータ（画素）に変換され、カラープロセス回路１１８で画素補間処理及びγ補正処理を含むカラープロセス処理が行われて、デジタル値の輝度信号Ｙ及び色差信号Ｃｂ、Ｃｒが生成され、ＤＭＡ（Direct Memory Access）コントローラ１１９に出力される。
【００２５】
ＤＭＡコントローラ１１９は、カラープロセス回路１１８の出力する輝度信号Ｙ及び色差信号Ｃｂ、Ｃｒを、同じくカラープロセス回路１１８からの複合（composite）同期信号、メモリ書き込みイネーブル信号、及びクロック信号を用いてＤＲＡＭインターフェイス（Ｉ／Ｆ）１２０を介してバッファメモリとして使用されるＤＲＡＭ１２１にＤＭＡ転送する。
【００２６】
制御部１２２は、このデジタルスチルカメラ１０全体の制御動作を司るものであり、ＣＰＵ若しくはＭＰＵ（以下、ＣＰＵ）と、必要な処理を実行するためのプログラム等を記憶したフラッシュメモリ等のプログラム格納メモリ、及びワークメモリとして使用されるＲＡＭ等により構成される。そして、前記輝度及び色差信号のＤＲＡＭ１２１へのＤＭＡ転送終了後に、この輝度及び色差信号を、ＤＲＡＭインターフェイス１２０を介してＤＲＡＭ１２１から読み出し、ＶＲＡＭコントローラ１２３を介してＶＲＡＭ１２４に書込む。
【００２７】
また、制御部１２２は、キー入力部１３０からの状態信号に対応してフラッシュメモリ等のプログラム格納用メモリに格納されている各モードに対応の処理プログラムやメニューデータを取り出して、デジタルスチルカメラ１０の各機能の実行制御、具体的には撮影動作や、光学ズーム時のズームレンズの動作制御や、ライブビュー画像表示、自動合焦、撮影、記録、及び記録した画像の再生・表示等の一般的な制御を行う。また、制御部１２２は、スライドショーモード時における画像表示装置１の取得要求に応じた画像の読み出し、送信処理も行う。
【００２８】
デジタルビデオエンコーダ１２５は、前記輝度及び色差信号を、ＶＲＡＭコントローラ１２３を介してＶＲＡＭ１２４から定期的に読み出し、これらのデータを基にビデオ信号を生成して前記表示部１２６に出力する。表示部１２６は、撮影モード時にはモニタ表示部（電子ファインダ）として機能するもので、デジタルビデオエンコーダ１２５からのビデオ信号に基づいた表示を行うことで、その時点でＶＲＡＭコントローラ１２３から取り込んでいる画像情報に基づくライブビュー画像をリアルタイムに表示する。
【００２９】
また、制御部１２２は撮影指示に応じて、撮影記録処理を実行する。この撮影記録処理においては、制御部１２２は、シャッターキーの全押しをトリガとして、ＣＣＤ１１３、垂直ドライバ１１５、サンプルホールド回路１１６、カラープロセス回路１１８、ＤＭＡコントローラ１１９に対してスルー画撮影モードから静止画撮影モードへの切り替えを指示し、この静止画撮影モードによる撮影記録処理により得られた画像データをＤＲＡＭ１２１に一時的に保存記録する。
【００３０】
この保存記録の状態では、制御部１２２がＤＲＡＭ１２１に書き込まれている１フレーム分の輝度及び色差信号を、ＤＲＡＭインターフェイス１２０を介してＹ、Ｃｂ、Ｃｒのコンポーネント毎に縦８画素×横８画素の基本ブロックと呼称される単位で読み出してＪＰＥＧ回路１２７に書き込み、このＪＰＥＧ回路１２７でＡＤＣＴ（Adaptive Discrete Cosine Transform：適応離散コサイン変換）、エントロピー符号化方式であるハフマン符号化等の処理によりデータ圧縮する。そして得た符号データを１画像のデータファイルとしてＪＰＥＧ回路１２７から読み出し、保存メモリ１２８に記録保存する。また、１フレーム分の輝度及び色差信号の圧縮処理及び保存メモリ１２８への全圧縮データの書き込み終了に伴って、制御部１２２は前記静止画撮影モードからスルー画撮影モードへの切り替えを指示する。
【００３１】
また、基本モードである再生モード時には、制御部１２２が保存メモリ１２８に記録されている画像データを選択的に読み出し、ＪＰＥＧ回路１２７で撮影モード時にデータ圧縮した手順と全く逆の手順で圧縮されている画像データを伸張し、伸張した画像データを、ＶＲＡＭコントローラ１２３を介してＶＲＡＭ１２４に展開して記憶させた上で、このＶＲＡＭ１２４から定期的に読み出し、これらの画像データを元にビデオ信号を生成して表示部１２６で再生出力させる。
【００３２】
保存メモリ１２８は、内蔵メモリ（フラッシュメモリ）やハードディスク、あるいは着脱可能なメモリカード等の記録媒体からなり画像データや撮影情報等を保存記録する。キー入力部１３０は、モードダイアル、カーソルキー、ＳＥＴキー、ズームボタン（Ｗボタン、Ｔボタン）、シャッターキー、クリアキー及び電源ボタン等と、それらのキーが操作されると操作されたキーの操作信号を生成して制御部１２２に送出するキー処理部（図示せず）等から構成されている。無線通信部１３４は、アンテナ３２１を有し、制御部１２２により制御されて画像表示装置１及び他のデジタルスチルカメラ１０と無線通信を行う。
【００３３】
次に、以上の構成に係る本実施の形態の動作について説明する。画像表示装置１のキー入力部２１に設けられている電源ＳＷがオン操作され、このとき画像表示装置１にネットワークスライドショーモード（以下、ＮＳモードという）が設定されていると、ＣＰＵ１１はＲＯＭ１２に記憶されているプログラムに従って、図４（Ａ）に示すフローチャートに従って処理を開始する。すなわち、ＣＰＵ１１は、ユーザによる電源ＳＷのオン操作に応答して、画像表示装置１の電源をＯＮにするとともに（ステップＡ１）、無線通信部３０をＯＮにして起動する（ステップＡ２）。
【００３４】
同様に、デジタルスチルカメラ１０のキー入力部１３０に設けられている電源ＳＷがオン操作され、このときデジタルスチルカメラ１０にＮＳモードが設定されていると、制御部１２２はＲＯＭに記憶されているプログラムに従って、図４（Ｂ）に示すフローチャートに従って処理を開始する。すなわち、制御部１２２は、保存メモリ１２８に画像データが保存されているかを確認した上で、保存されている場合には、ユーザによる電源ＳＷのオン操作に応答して、端末としての当該デジタルスチルカメラ１０の電源をＯＮにする（ステップＢ１）。また、保存メモリ１２８に画像データが保存されていることを確認できたデジタルスチルカメラ１０の無線通信部１３４をＯＮにして起動する（ステップＢ２）。
【００３５】
すると、画像表示装置１のＣＰＵ１１は、無線通信部３０を介してデジタルスチルカメラ１０の無線通信部１３４と、無線ＬＡＮアクセスポイントを通さずに直接通信するアドホック通信を開始する（ステップＡ３）。さらに、図１に示すように、画像表示装置１と通信可能となった複数のデジタルスチルカメラ１０Ａ、１０Ｂ、１０Ｃとの間でアドホック通信を確立する（ステップＡ４）。
【００３６】
また、このアドホック通信を確立した複数の端末（デジタルスチルカメラ１０Ａ、１０Ｂ、１０Ｃ）が属するグループをネットワークグループとして、当該ネットワークグループ内の端末数（本例では３台）を検出する（ステップＡ５）。引き続き、画像表示装置１のＣＰＵ１１は、自機の各端末（デジタルスチルカメラ１０Ａ、１０Ｂ、１０Ｃ）に対する受信感度を各々検出する（ステップＡ６）。これにより、例えば図１に付記し下記に示す受信感度が検出されることとなる。
デジタルスチルカメラ１０Ａ受信感度：−２０ｄＢｍ
デジタルスチルカメラ１０Ｂ受信感度：−２０ｄＢｍ
デジタルスチルカメラ１０Ｃ受信感度：−４０ｄＢｍ
【００３７】
次に、この検出した受信感度に基づき、画像表示優先度の決定処理を実行する（ステップＡ７）。ここで、画像表示優先度は、各デジタルスチルカメラ１０Ａ、１０Ｂ、１０Ｃから取得した画像をスライドショー表示する際の画像の表示頻度、表示時間のいずれであってもよい。
【００３８】
表示頻度の場合、受信感度が高い順に表示頻度を高くする。したがって、本例のように、グループ内に３台のデジタルスチルカメラ１０Ａ、１０Ｂ、１０Ｃがあり、受信感度がデジタルスチルカメラ１０Ａ、１０Ｂ：−２０ｄＢｍ、１０Ｃ：−４０ｄＢｍであった場合、
１０Ａの画像→１０Ｂの画像→１０Ｃの画像→１０Ａの画像→１０Ｂの画像→１０Ａの画像→１０Ｂの画像→１０Ｃの画像・・・１０Ａの画像→１０Ｂの画像→１０Ｃの画像→１０Ａの画像→１０Ｂの画像→１０Ａの画像→１０Ｂの画像→１０Ｃの画像
というような頻度（１０Ｃの画像の表示頻度が低い）でスライドショー表示を行うことを決定する。
【００３９】
表示時間の場合、受信感度が高い順に表示時間を長くする。したがって、本例のように、グループ内に３台のデジタルスチルカメラ１０Ａ、１０Ｂ、１０Ｃがあり、受信感度がデジタルスチルカメラ１０Ａ、１０Ｂ：−２０ｄＢｍ、１０Ｃ：−４０ｄＢｍであった場合、
１０Ａの画像：５秒→１０Ｂの画像：５秒→１０Ｃの画像：３秒→１０Ａの画像：５秒→１０Ｂの画像：５秒→１０Ｃの画像：３秒・・・
というような表示時間（１０Ｃの画像の表示時間が短い）でスライドショー表示を行うことを決定する。
【００４０】
しかる後に、各デジタルスチルカメラ１０の保存メモリ１２８から格納されている画像を取得し、前記ステップＡ７で決定した画像表示優先度に従って、液晶表示パネル３にスライドショー表示する（ステップＡ８）。このとき、画像の取得と表示は、下記（１）（２）のいずれであってもよい。
【００４１】
（１）画像表示装置１の内部メモリ１４に、各デジタルスチルカメラ１０Ａ用のフォルダ１４Ａ、１０Ｂ用のフォルダ１４Ｂ、１０Ｃ用のフォルダ１４Ｃを作成しておく。各デジタルスチルカメラ１０Ａ、１０Ｂ、１０Ｃに保存されている全ての画像を取得して、対応するフォルダ１４Ａ、１４Ｂ、１４Ｃに予めコピーする。そして、このコピーされた画像が保存されているフォルダ１４Ａ、１４Ｂ、１４Ｃから、前記ステップＡ７で決定した優先度で、画像を読み出して液晶表示パネル３にスライドショー表示する。
【００４２】
したがって、この（１）に示した画像の取得と表示方法によれば、スライドショー表示する複数のカメラ１０Ａ、１０Ｂ、１０Ｃの画像が予め単一の画像表示装置１に集約されて、スライドショー表示がなされることから、画像表示装置１と各カメラ１０Ａ、１０Ｂ、１０Ｃ間の通信回数を少なくすることができる。これにより、通信に対する外乱に起因する画像の表示不良を事前に防止しつつ、スライドショー表示することができる。
【００４３】
（２）スライドショー表示する画像が保存メモリ１２８に保存されているカメラ１０と、その都度無線接続して、表示する画像を取得する。 そして、その都度取得した画像を、前記ステップＡ７で決定した優先度で、順次液晶表示パネル３にスライドショー表示する。
したがって、この（２）に示した画像の取得と表示方法によれば、画像表示装置１に大容量の内部メモリ１４を実装する必要がなく、これにより、画像表示装置１のメモリ容量を軽減を図りつつ、スライドショー表示することができる。
【００４４】
このようにして、ステップＡ８で（１）又は（２）の方法で、画像の取得と表示がなされると、当該ユーザのデジタルスチルカメラ１０が画像表示装置１のより近くに存在し、自己が撮影した画像のスライド表示に強い興味を持っているユーザの画像は高い優先度でスライド表示される。これに対し、当該ユーザのデジタルスチルカメラ１０が画像表示装置１のより遠くに存在し、自己が撮影した画像のスライド表示に興味を持っていないユーザの画像、現在遠方におり当該端末装置１で画像を観賞することすら不可能なユーザの画像は低い優先度でスライド表示される。
【００４５】
これにより、画像の撮影者であり鑑賞者でもあり得る各カメラのユーザの興味や意図を反映させた画像のスライドショー表示を行うことが可能となる。
【００４６】
しかも、優先度を受信感度に基づき決定することから、受信感度を有効に利用して、画像の撮影者であり鑑賞者でもあり得る各カメラのユーザの意図を反映させたスライドショー表示を行うことができる。これにより、ユーザが画像観賞を早期に飽きてしまうことを防止して、スライドショー機能による画像観賞の興趣性を向上させることができる。
【００４７】
以上のように、実施の形態により開示される請求項１記載の発明によれば、複数の端末と通信する通信手段と、前記通信手段を介して、前記複数の端末に保存されている画像を取得する取得手段と、前記通信手段の通信時における受信感度を前記複数の端末毎に検出する受信感度検出手段と、前記受信感度検出手段により検出された端末毎の受信感度に基づき、各端末に保存されている画像のスライドショー表示における優先度を決定する優先度決定手段と、前記優先度決定手段により決定された優先度に従って、前記取得手段により各端末から取得した画像をスライドショー表示する表示制御手段とを備えることを特徴とする画像表示装置を提供することができる。
【００４８】
また、実施の形態により開示される請求項２記載の発明によれば、前記通信手段により、異なる複数の端末と無線接続されることを特徴とする請求項１記載の画像表示装置を提供することができる。
【００４９】
また、実施の形態により開示される請求項３記載の発明によれば、前記取得手段は、各端末に保存されている複数の画像を予め取得し、この取得手段により取得された複数の画像を端末毎に記憶する記憶手段を備え、前記表示制御手段は、前記記憶手段から画像を読み出してスライドショー表示することを特徴とする請求項１記載の画像表示装置を提供することができる。
【００５０】
また、実施の形態により開示される請求項４記載の発明によれば、前記取得手段は、前記表示制御手段がスライドショー表示する画像をその都度対応する端末から取得し、前記表示制御手段は、前記取得手段がその都度対応する端末から取得した画像をスライドショー表示することを特徴とする請求項１記載の画像表示装置を提供することができる。
【００５１】
また、実施の形態により開示される請求項５記載の発明によれば、前記優先度決定手段は、スライドショー表示における画像の表示頻度を優先度として決定することを特徴とする請求項１記載の画像表示装置を提供することができる。
【００５２】
また、実施の形態により開示される請求項６記載の発明によれば、前記優先度決定手段は、スライドショー表示における当該画像の表示時間を優先度として決定することを特徴とする請求項１記載の画像表示装置を提供することができる。
【００５３】
また、実施の形態により開示される請求項７記載の発明によれば、前記複数の端末は、前記画像の撮影機能を有するものであることを特徴とする請求項１から６にいずれか記載の画像表示装置を提供することができる。
【００５４】
また、実施の形態により開示される請求項８記載の発明によれば、複数の端末と通信する通信手段を備える画像表示装置が有するコンピュータを、前記通信手段を介して、前記複数の端末に保存されている画像を取得する取得手段と、前記通信手段の通信時における受信感度を前記複数の端末毎に検出する受信感度検出手段と、前記受信感度検出手段により検出された端末毎の受信感度に基づき、各端末に保存されている画像のスライドショー表示における優先度を決定する優先度決定手段と、前記優先度決定手段により決定された優先度に従って、前記取得手段により各端末から取得した画像をスライドショー表示する表示制御手段として機能させることを特徴とする画像表示プログラムを提供することができる。
【００５５】
また、実施の形態により開示される請求項９記載の発明によれば、複数の端末と、通信手段を介して前記複数の端末と接続される画像表示装置とで構成される画像表示システムであって、前記複数の端末は、各々画像を保存する保存手段を備え、前記画像表示装置は、前記通信手段を介して、前記複数の端末に保存されている画像を取得する取得手段と、前記通信手段の通信時における受信感度を前記複数の端末毎に検出する受信感度検出手段と、前記受信感度検出手段により検出された端末毎の受信感度に基づき、各端末に保存されている画像のスライドショー表示における優先度を決定する優先度決定手段と、前記優先度決定手段により決定された優先度に従って、前記取得手段により各端末から取得した画像をスライドショー表示する表示制御手段とを備えることを特徴とする画像表示システムを提供することができる。
【００５６】
なお、本実施の形態においては、図１に示したように、画像表示装置１と各デジタルスチルカメラ１０間のみならず、各デジタルスチルカメラ１０同士も無線接続されたアドホックグループが形成されることとした。しかし、画像表示装置１と各デジタルスチルカメラ１０間のみを無線接続するシステム、つまり画像表示装置１をマスターとし、各デジタルスチルカメラ１０をスレーブとする無線接続システムを用いるようにしてもよい。この場合であっても、前述した実施の形態と同様の効果を得ることができる。
【００５７】
また、実施の形態においては、画像表示装置１と各デジタルスチルカメラ１０とが無線接続された構成を示したが、有線接続された構成であってもよい。但し、受信感度の差異を制御に用いることから、無線接続された構成がより好ましい。
【符号の説明】
【００５８】
１    画像表示装置
１０    デジタルスチルカメラ
１１    ＣＰＵ
１２    ＲＯＭ
１２１    ＤＲＡＭ
１２２    制御部
１２４    ＶＲＡＭ
１２５    デジタルビデオエンコーダ
１２６    表示部
１２７    ＪＰＥＧ回路
１２８    保存メモリ
１３０    キー入力部
１３４    無線通信部
１３３    絞り駆動部
１４    内部メモリ
１４Ａ    フォルダ
１４Ｂ    フォルダ
１４Ｃ    フォルダ
１１６    サンプルホールド回路
１６    表示制御部
１７    キー入力制御部
１８    メモリカードインターフェース
２１    キー入力部
３    液晶表示パネル
３０    無線通信部
３１    アンテナ
３２１    アンテナ
【図１】
0005733615.tif 000002
【図２】
0005733615.tif 000003
【図３】
0005733615.tif 000004
【図４】
0005733615.tif 000005